(57)【要約】【課題】目地間隙から下地板が透けて見えることを石質板自体の構成によって防止することができる床仕上パネル及び床仕上パネル設置構造を提供する。【解決手段】躯体床面１上に施工される床仕上パネル２は、下地板３と、該下地板３上に貼り付けられた石質板４とを備えている。石質板４の隣接する２辺にあっては、側面Ａは上方ほど床仕上パネル２の板央側となるように傾斜した傾斜面となっている。側面Ｂはその下部が側面Ａに重なるように側面Ａと同一傾斜角にて側外方へ張り出して傾斜した傾斜面４ｂとなっている。側面Ｂの上部は上方ほど床仕上パネル２の板央側となるように傾斜した傾斜面４ａとなっている。【選択図】図１
2010090594.tif 000002
【特許請求の範囲】
【請求項１】
石質板を下地板に取り付けてなる方形の床仕上パネルにおいて、
該床仕上パネルの第１の辺においては、該石質板の側面Ａの少なくとも上部が上向きの傾斜面となっており、
該床仕上パネルの該第１の辺と反対側の第２の辺にあっては、該石質板の側面Ｂの少なくとも上下方向の途中部分が下向きの傾斜面となっていることを特徴とする床仕上パネル。
【請求項２】
請求項１において、該床仕上パネルの４辺のうち隣接する２辺においては前記石質板の側面Ａが配置されており、残りの２辺においては前記石質板の側面Ｂが配置されていることを特徴とする床仕上パネル。
【請求項３】
請求項１又は２において、該石質板の側面Ａの下縁が下地板の上縁から後退していることを特徴とする床仕上パネル。
【請求項４】
請求項１ないし３のいずれか１項において、該側面Ａの下部が下地板の上面と略垂直となっていることを特徴とする床仕上パネル。
【請求項５】
請求項４において、該側面Ｂの下部が下地板の上面と略垂直となっていることを特徴とする床仕上パネル。
【請求項６】
請求項１ないし５のいずれか１項において、該側面Ｂの上部は上向きの傾斜面となっており、該側面Ｂの上向き傾斜面と下向き傾斜面との境界部が、石質板の側方に向って突出した突部となっていることを特徴とする床仕上パネル。
【請求項７】
請求項１ないし６のいずれか１項の床仕上パネルを複数枚突き合わせるように躯体床面に設置した床仕上パネル設置構造であって、
突き合わされた一方の床仕上パネルの石質板の側面Ａが、他方の床仕上パネルの石質板の側面Ｂに対面しており、該側面Ｂのうち最も側方へ突出した突部の先端の鉛直下方に側面Ａの下部が存在することを特徴とする床仕上パネル設置構造。
【請求項８】
請求項７において、突き合わされた側面Ａ，Ｂ間の少なくとも下部に弾性材が介在していることを特徴とする床仕上パネル設置構造。
【発明の詳細な説明】
【技術分野】
【０００１】
本発明は、タイル、石板等の石質板を下地板に取り付けてなる床仕上パネルと、この床仕上パネルを躯体床面上に設置した床仕上パネル設置構造に関する。
【背景技術】
【０００２】
タイル、天然石板、人工石板などの石質板を下地板に接着剤等によって取り付けた床仕上パネルが特開平３−２７５３４３に記載されている。なお、同号公報ではこの床仕上パネルを石質複合板と称している。
【特許文献１】特開平３−２７５３４３
【発明の開示】
【発明が解決しようとする課題】
【０００３】
この特開平３−２７５３４３では、下地板同士を突き合わせると石質板同士の間に空の目地間隙が生じるので、下地板が見えてしまい、美観に劣る。
【０００４】
本発明は、上記従来の問題点を解消し、目地間隙から下地板が透けて見えることを石質板自体の構成によって防止することができる床仕上パネル及び床仕上パネル設置構造を提供することを目的とする。
【課題を解決するための手段】
【０００５】
請求項１の床仕上パネルは、石質板を下地板に取り付けてなる方形の床仕上パネルにおいて、該床仕上パネルの第１の辺においては、該石質板の側面Ａの少なくとも上部が上向きの傾斜面となっており、該床仕上パネルの該第１の辺と反対側の第２の辺にあっては、該石質板の側面Ｂの少なくとも上下方向の途中部分が下向きの傾斜面となっていることを特徴とするものである。
【０００６】
請求項２の床仕上パネルは、請求項１において、該床仕上パネルの４辺のうち隣接する２辺においては前記石質板の側面Ａが配置されており、残りの２辺においては前記石質板の側面Ｂが配置されていることを特徴とするものである。
【０００７】
請求項３の床仕上パネルは、請求項１又は２において、該石質板の側面Ａの下縁が下地板の上縁から後退していることを特徴とするものである。
【０００８】
請求項４の床仕上パネルは、請求項１ないし３のいずれか１項において、該側面Ａの下部が下地板の上面と略垂直となっていることを特徴とするものである。
【０００９】
請求項５の床仕上パネルは、請求項４において、該側面Ｂの下部が下地板の上面と略垂直となっていることを特徴とするものである。
【００１０】
請求項６の床仕上パネルは、請求項１ないし５のいずれか１項において、該側面Ｂの上部は上向きの傾斜面となっており、該側面Ｂの上向き傾斜面と下向き傾斜面との境界部が、石質板の側方に向って突出した突部となっていることを特徴とするものである。
【００１１】
請求項７の床仕上パネル設置構造は、請求項１ないし６のいずれか１項の床仕上パネルを複数枚突き合わせるように躯体床面に設置した床パネル設置構造であって、突き合わされた一方の床仕上パネルの石質板の側面Ａが、他方の床仕上パネルの石質板の側面Ｂに対面しており、該側面Ｂのうち最も側方へ突出した突部の先端の鉛直下方に側面Ａの下部が存在することを特徴とするものである。
【００１２】
請求項８の床仕上パネル設置構造は、請求項７において、突き合わされた側面Ａ，Ｂ間の少なくとも下部に弾性材が介在していることを特徴とするものである。
【発明の効果】
【００１３】
請求項１の床仕上げパネル及び請求項７の床仕上パネル設置構造にあっては、床仕上パネルの側面Ａの少なくとも上部が上向きの傾斜面となっており、側面Ｂの少なくとも上下方向の途中部分が下向きの即ちオーバーハング状の傾斜面となっている。そして、この側面Ａ，Ｂを対面させるようにして床仕上パネルを躯体床面上に設置施工した場合、側面Ａの上向き傾斜面と側面Ｂの下向き傾斜面とが対面し、側面Ｂの突部先端の下方には側面Ａの上向き傾斜面の下部が存在する。そのため、上方から見たときに下地板が透けて見えない。
【００１４】
請求項２の通り、床仕上パネルの隣接する２辺に側面Ａが配置され、残りの２辺に側面Ｂを配置することが好ましい。
【００１５】
請求項３の床仕上げパネルにあっては、側面Ａの下縁部が下地板から突出しないので、側面Ａの下部の破損が防止される。
【００１６】
請求項４床仕上パネルにあっては、石質板の側面Ａの下部の破損が防止される。また、請求項５の床仕上パネルにあっては、石質板の側面Ｂの突部の破損が防止される。
【００１７】
請求項６の床仕上パネルによれば、側面Ｂの上縁部が面取り状となり、破損が防止される。
【００１８】
請求項８のように弾性材３を介在させることにより、下地板が透けて見えることが防止されると共に、目地間隙にゴミが溜ることが防止される。
【発明を実施するための最良の形態】
【００１９】
以下、図面を参照して実施の形態について説明する。
【００２０】
第１図（ａ）は実施の形態に係る床仕上パネル及びその設置構造を示す断面図であり、（ｂ）は（ａ）の一部の拡大図、（ｃ）は石質板端部の拡大図である。
【００２１】
第１図（ａ）の通り、躯体床面１上に施工される床仕上パネル２は、下地板３と、該下地板３上に貼り付けられた石質板４とを備えている。
【００２２】
躯体床面１は、合板などの木質床材料、コンクリートなどよりなる。
【００２３】
下地板３としては、合板、ＭＤＦ（中密度繊維板）、バードボードなどの木質基材、珪酸カルシウム板、スレートボード、木片混入セメント板などのセメントボード、合成樹脂板などが用いられる。下地板３の厚さは５〜１５ｍｍ程度が好適である。この実施の形態では、下地板３の隣接する２辺に雄実３ａが設けられ、残りの２辺に雌実２ｂが設けられている。なお、実部は図示以外の形状であってもよい。
【００２４】
石質板４としては、陶磁器製タイルや、天然石又は人工石よりなる石板が好適である。石質板４の厚さは３〜６ｍｍ程度が好適である。
【００２５】
なお、石質板４としてタイルを用いる場合、下地板３とタイルの寸法の一例を挙げると、次の通りである。
（１）  ３００×３００ｍｍの下地板に３００×３００ｍｍのタイルを張る。
（２）  ３００×６００ｍｍの下地板に３００×３００ｍｍのタイルを２枚又は３００×６００ｍｍのタイルを１枚張る。
（３）  ３００×１８００ｍｍの下地板に３００×３００ｍｍのタイルを６枚又は３００×６００ｍｍのタイルを３枚張る。
【００２６】
ただし、上記（１）〜（３）の寸法はあくまでも一例であり、本発明を何ら限定するものではない。
【００２７】
この実施の形態では、石質板４の隣接する２辺が側面Ａとされ、残りの２辺が側面Ｂとされている。側面Ａは上方ほど床仕上パネル２の板央側となるように傾斜した傾斜面となっている。この傾斜面の傾斜角θは好ましくは３０〜７５°特に好ましくは４８〜７１°である。この実施の形態では、側面Ａの下端縁は下地板３の上縁と合致している。
【００２８】
請求項４の残りの２辺を構成する側面Ｂは、その下部が側面Ａの下部に重なるように側面Ａと同一傾斜角にて側外方へ張り出してオーバーハング状に傾斜した傾斜面４ｂとなっている。側面Ｂの上部は上方ほど床仕上パネル２の板央側となるように傾斜して面取り状の傾斜面４ａとなっている。
【００２９】
傾斜面４ａの下縁と傾斜面４ｂの上縁とが交わる箇所が、最も側外方へ突出した突部４ｃである。この突部４ｃは、石質板４の辺方向に延在する突条を構成している。傾斜面４ａの傾斜角は前記θと同一であることが好ましい。突部４ｃの位置（石質板４の底面からの高さ）は、石質板４の表面から０．３〜３ｍｍ、特に０．５〜１．５ｍｍであることが好ましい。
【００３０】
各床仕上パネル２を躯体床面１上に施工するには、躯体床面１上に複数枚の床仕上パネル２を各々の下地板３，３間に間隙があくように載置する。
【００３１】
次いで、床仕上パネル２を押して移動させ、床仕上パネル２，２の下地板３，３同士を突き合わせ、雄実３ａと雌実３ｂとを係合させる。次いで、床仕上パネル２を釘などによって躯体床面１に固定する。
【００３２】
なお、予め躯体床面１又は下地板３の下面に接着剤を塗着しておき、床仕上パネル２を接着剤によって躯体床面１に固着させるようにしてもよい。
【００３３】
床仕上パネル２，２同士を突き合わせた状態では、側面Ａと側面Ｂの傾斜面４ｂとが重なるか、又は微小な間隙を介して対面しており、突部４ｃの鉛直下方には側面Ａの下部が存在するものとなっている。そのため、上方から見たときに下地板３は視認されず、美観が良い。
【００３４】
この実施の形態にあっては、床仕上パネル２の側面Ｂの上部が面取り状の傾斜面４ａとなっているので、側面Ａとの間にＶ字形断面形状の溝状目地が形成される。そのため、石質板の輪郭がくっきりとしたものとなり、美観が良い。また、側面Ｂの上縁の欠けなどの損傷も防止される。
【００３５】
第２図〜第９図はそれぞれ本発明の別の実施の形態を示す断面図である。
【００３６】
第２図の実施の形態では、床仕上パネル２’の下地板３’として実部のないものが用いられている。その他の構成は第１図と同様である。
【００３７】
第３図（ａ），（ｂ）の実施の形態では、床仕上パネル５の石質板６として、側面Ａ，Ｂの下部に略鉛直な縦面６ｂ，６ｆを設けたものが用いられている。側面Ａの上部は傾斜面６ａとなっている。傾斜面６ａの傾斜角θは上記と同様であることが好ましい。傾斜面６ａと縦面６ｂとの交点の高さは、石質板６の底面から０．３〜５ｍｍ、特に１．０〜２．０ｍｍ程度が好適である。
【００３８】
側面Ｂは、下部の縦面６ｆの上側に、側外方へオーバーハング状に傾斜した傾斜面６ｅが設けられ、上部には、上方ほど板央側へ傾斜した傾斜面６ｃが設けられている。傾斜面６ｃ，６ｅの交わる部分が突部６ｄである。縦面６ｆの上下長さは縦面６ｂと同一か又はそれよりも若干大きいものとなっている。傾斜面６ｅ，６ｃの傾斜角度は前記θと同一であることが好ましい。突部６ｄの高さは、石質板６の表面から０．３〜３ｍｍ特に０．５〜１．５ｍｍ程度が好ましい。その他の構成は第１図と同様である。なお、（ｂ）は石質板端部の断面図である。
【００３９】
第４図の実施の形態では、床仕上パネル２”の石質板４の側面Ａの下縁が下地板３の上縁から所定長さ（好ましくは１０ｍｍ以下、特に好ましくは０．３〜２．５ｍｍ）だけ後退している。側面Ｂの下縁は、下地板３の上縁からこの所定長さ分だけ突出している。その他の構成は第１図と同様である。
【００４０】
第５図の実施の形態では、石質板５”の側面Ａの下縁が下地板３の上縁から所定長さ（好ましくは１０ｍｍ以下特に好ましくは０．１〜０．２５ｍｍ）だけ後退している。側面Ｂの下縁は、下地板３の上縁からこの所定長さ分だけ突出している。その他の構成は第３図と同様である。
【００４１】
第６図の実施の形態では、石質板４の側面Ａと側面Ｂの下部の傾斜面４ｂとの間に弾性材１０が介在されている。
【００４２】
弾性材５としては、発泡ゴム（例えば発泡ＥＰＤＭ）、ウレタンフォーム、フォームメルト、シリコンシーラントなどが好適である。
【００４３】
このように弾性材１０を介在させることにより、目地間隙から下地板が透けて見えることが確実に防止されると共に、目地間隙にゴミ等が溜まることが防止される。
【００４４】
第７図の実施の形態では、第３図の実施の形態において、側面Ａの傾斜面６ａの下部及び縦面６ｂと、側面Ｂの傾斜面６ｅ及び縦面６ｆとの間に弾性材１０が介在されている。
【００４５】
第８図の実施の形態では、第４図の実施の形態において、側面Ａの下部と側面Ｂの傾斜面４ｂとの間に弾性材１０を介在させている。
【００４６】
第９図の実施の形態では、第５図の実施の形態において、側面Ａの傾斜面６ａの下部及び縦面６ｂと、側面Ｂの傾斜面６ｅ及び縦面６ｆとの間に弾性材１０を介在させている。
【００４７】
上記実施の形態はいずれも本発明の一例であり、本発明は図示以外の形態とされてもよい。例えば、第３図〜第９図においても実部を省略してもよい。
【図面の簡単な説明】
【００４８】
【図１】実施の形態に係る床仕上パネル及びその設置構造を示す断面図である。
【図２】実施の形態に係る床仕上パネル及びその設置構造を示す断面図である。
【図３】実施の形態に係る床仕上パネル及びその設置構造を示す断面図である。
【図４】実施の形態に係る床仕上パネル及びその設置構造を示す断面図である。
【図５】実施の形態に係る床仕上パネル及びその設置構造を示す断面図である。
【図６】実施の形態に係る床仕上パネル及びその設置構造を示す断面図である。
【図７】実施の形態に係る床仕上パネル及びその設置構造を示す断面図である。
【図８】実施の形態に係る床仕上パネル及びその設置構造を示す断面図である。
【図９】実施の形態に係る床仕上パネル及びその設置構造を示す断面図である。
【符号の説明】
【００４９】
１  躯体床面
２，２’，２”，５，５”  床仕上パネル
３，３’  下地板
４，６  石質板
１０  弾性材
【図１】
2010090594.tif 000003
【図２】
2010090594.tif 000004
【図３】
2010090594.tif 000005
【図４】
2010090594.tif 000006
【図５】
2010090594.tif 000007
【図６】
2010090594.tif 000008
【図７】
2010090594.tif 000009
【図８】
2010090594.tif 000010
【図９】
2010090594.tif 000011